(57)【特許請求の範囲】
【請求項１】
表示部と、
筐体と、
前記表示部に対するタッチ操作がなされた位置を検知する第１検知部と、
前記表示部の表示内容を制御し、前記第１検知部で検知したタッチ操作がなされた位置に応じた処理を行う制御部と、
を備えた携帯端末用表示装置であって、
前記筐体の外縁から所定の範囲内に配置される操作受付部と、
前記操作受付部に対するタッチ操作がなされた位置を検知する第２検知部と、
前記操作受付部に対する押圧操作を検知する押圧検知部と、
を備え、
前記表示部は、前記筐体のうち前記所定の範囲外に表示領域を有し、
前記制御部は、前記第２検知部で検知したタッチ操作がなされた位置に応じて、操作入力位置を指定する指定用画像を前記表示部に表示させ、
前記制御部は、前記第２検知部を介して決定操作を受け付け、該決定操作を受け付けたときに前記指定用画像が指定する操作入力位置に応じた処理を行い、
前記押圧検知部は、前記押圧操作の押圧量を検知し、
前記制御部は、前記押圧検知部で検知した押圧量に応じた処理を行い、
前記制御部は、前記押圧検知部が検知した前記押圧量が第１押圧量の場合にアプリケーションを実行し、前記押圧量が第２押圧量の場合に前記指定用画像が指し示す位置を中心とした前記表示部の表示内容の拡大又は縮小の処理を実行し、
前記第２押圧量の設定範囲は、前記第１押圧量の設定範囲よりも高い値の範囲である、
携帯端末用表示装置。
【請求項２】
前記制御部は、前記押圧検知部が検知した前記押圧量が第１閾値以上の場合、前記指定用画像を前記表示部に表示させる、
請求項１に記載の携帯端末用表示装置。
【請求項３】
前記制御部は、前記押圧検知部が検知した前記押圧量が第２閾値以上の場合、前記表示内容の拡大又は縮小の描画速度を変更する、
請求項１または２に記載の携帯端末用表示装置。
【請求項４】
前記第２検知部は、キラル高分子によって形成された圧電フィルムを有する、
請求項２又は３に記載の携帯端末用表示装置。
【請求項５】
前記キラル高分子は、ポリ乳酸である、
請求項４に記載の携帯端末用表示装置。
【請求項６】
前記ポリ乳酸は、少なくとも一軸方向に延伸されている、
請求項５に記載の携帯端末用表示装置。
【請求項７】
前記表示部と前記操作受付部とは、それぞれ別の領域に配置される、
請求項１乃至６のいずれかに記載の携帯端末用表示装置。
【請求項８】
前記操作受付部と前記表示部とは、前記筐体の同一平面側に配置される、
請求項１乃至７のいずれかに記載の携帯端末用表示装置。
【請求項９】
表示部と、
筐体と、
前記表示部に対するタッチ操作がなされた位置を検知する検知部と、
前記表示部の表示内容を制御し、前記検知部で検知したタッチ操作がなされた位置に応じた処理を行う制御部と、
前記表示部に対する押圧操作の押圧量を検知する押圧検知部と、
を備えた携帯端末用表示装置であって、
前記制御部は、前記筐体の外縁から所定の範囲内に操作受付用画像を表示させ、
前記制御部は、前記検知部が検知したタッチ操作がなされた位置に表示されている操作受付用画像に応じて、操作入力位置を指定する指定用画像を表示させ、
前記制御部は、前記検知部を介して決定操作を受け付け、該決定操作を受け付けたときに前記指定用画像が指定する操作入力位置に応じた処理を行い、
前記制御部は、前記押圧検知部が検知した前記押圧量が第１押圧量の場合にアプリケーションを実行し、前記押圧量が第２押圧量の場合に前記指定用画像が指し示す位置を中心とした前記表示部の表示内容の拡大又は縮小の処理を実行し、
前記第２押圧量の設定範囲は、前記第１押圧量の設定範囲よりも高い値の範囲である、
携帯端末用表示装置。
【請求項１０】
前記制御部は、前記押圧検知部が検知した前記押圧量が第１閾値以上の場合、前記指定用画像を前記表示部に表示させる、
請求項９に記載の携帯端末用表示装置。
【請求項１１】
前記制御部は、前記押圧検知部が検知した前記押圧量が第２閾値以上の場合、前記表示内容の拡大又は縮小の描画速度を変更する、
請求項９または１０に記載の携帯端末用表示装置。
【発明の詳細な説明】
【技術分野】
【０００１】
本発明は、液晶ディスプレイ等の表示部と、タッチパネルとを備える携帯端末用表示装置に関するものである。
【背景技術】
【０００２】
従来、ユーザの指の接触を検知するセンサと枠体とからなるタッチパネルと、各種画面を表示する表示部と、を備える携帯端末が知られている。【０００３】
例えば、特許文献１に示すスマートフォンは、タッチパネルで受け付けたユーザの指の接触位置に応じてディスプレイの表示内容を変更し、所謂、ＧＵＩ（；Ｇｒａｐｈｉｃａｌ  Ｕｓｅｒ  Ｉｎｔｅｒｆａｃｅ）を実現している。【０００４】
ユーザは、特許文献１に示すようなスマートフォンを片手で把持しながら把持した手の親指で操作することができる。
【先行技術文献】
【特許文献】
【０００５】
【特許文献１】特開２０１３−９７４００号公報
【発明の概要】
【発明が解決しようとする課題】
【０００６】
しかしながら、特許文献１に示すスマートフォンは、片手で把持しながら親指だけでは、操作が困難な場合がある。例えば、特許文献１に示すように、ユーザがスマートフォンを左手で把持し、左手の親指でタッチパネルに対して操作を行う場合、タッチパネルの上部に届かないことがある。この場合、特に、タッチパネルの右側上部は、把持している部分から最も遠いため、親指が届きにくい。【０００７】
また、タッチパネルは、大きくなるにつれて、指が届かない範囲が広がる。さらには、手の小さなユーザは、他のユーザに比べて、指が届かない範囲が広い。【０００８】
そこで、本発明の目的は、ユーザが片手だけでも簡単に操作可能な携帯端末用表示装置を提供することにある。
【課題を解決するための手段】
【０００９】
本発明の携帯端末用表示装置は、表示部と、筐体と、前記表示部に対するタッチ操作がなされた位置を検知する第１検知部と、前記表示部の表示内容を制御し、前記第１検知部で検知したタッチ操作がなされた位置に応じた処理を行う制御部と、を備える。【００１０】
さらに、本発明の携帯端末用表示装置は、前記筐体の外縁から所定の範囲内に配置される操作受付部と、前記操作受付部に対するタッチ操作がなされた位置を検知する第２検知部と、を備え、前記表示部は、前記筐体のうち前記所定の範囲外に表示領域を有し、前記制御部は、前記第２検知部で検知したタッチ操作がなされた位置に応じて、操作入力位置を指定する指定用画像を前記表示部に表示させ、前記制御部は、前記第２検知部を介して決定操作を受け付け、該決定操作を受け付けたときに前記指定用画像が指定する操作入力位置に応じた処理を行う。【００１１】
第１検知部は、ユーザが表示部に触ろうとする操作をタッチ操作として検知する。すなわち、タッチ操作は、表示部に対する実接触に限らず、非接触も含む。非接触のタッチ操作は、例えば静電容量方式のタッチパネル又は光センサを表示部に備え付けることにより検知される。【００１２】
表示部は、携帯端末用表示装置の筐体のうち所定の範囲外に表示領域を有する。所定の範囲は、ユーザが筐体を片手で把持した時、把持した手の親指が届く範囲に設定される。すなわち、表示部は、ユーザが筐体を片手で把持した時、把持した手の親指が届かない範囲に表示領域を有する。一方、操作受付部は、親指が届く範囲内に配置される。ユーザは、操作受付部が親指の届く範囲内に配置されるため、操作受付部に対して操作を行うことができる。【００１３】
例えば、指定用画像とは、ポインタであり、ポインタが指定する操作入力位置とは、ポインタの表示位置や指し示す位置である。ポインタは、操作受付部に対するタッチ操作の位置に応じて表示部に表示される。ユーザは、操作受付部に対してタッチ操作を行うことにより、ポインタの表示位置を変更して携帯端末用表示装置を操作することができる。なお、指定用画像は、ポインタに限らない。指定用画像は、操作入力がされることを示す画像であればよい。【００１４】
決定操作は、例えば操作受付部に対するタップ操作、ダブルタップ操作又は長押しタッチ操作（所定時間タッチし続ける操作）である。【００１５】
本発明の携帯端末用表示装置は、親指が届く範囲に配置される操作受付部で操作入力を受け付けて指定用画像を表示することにより、該指定用画像が指定する操作入力位置が親指の届かない範囲であっても、該操作入力位置で決定操作を受け付ける。したがって、ユーザは、親指が届かない表示領域内で決定操作を与えて携帯端末用表示装置に処理を実行させることができる。【００１６】
また、携帯端末用表示装置は、前記操作受付部に対する押圧操作を検知する押圧検知部、を備え、前記制御部は、前記押圧検知部を介して前記押圧操作を決定操作として受け付けてもよい。【００１７】
押圧操作は、タッチ操作とは異なる操作であるため、タップ操作等と区別して認識されやすい。そこで、携帯端末用表示装置は、押圧操作を決定操作として受け付けることにより、ユーザの意図しない操作を防止できる。【００１８】
また、前記押圧検知部は、前記押圧操作の押圧量を検知し、前記制御部は、前記押圧検知部で検知した前記押圧量に応じた処理を行ってもよい。【００１９】
例えば、制御部は、押圧量が第１閾値以上第２閾値（ただし、第１閾値よりも大きい値）未満の場合に、第１処理を行い、押圧量が第２閾値以上の場合に、第２処理を行う。このように、携帯端末用表示装置は、押圧量に基づいて、段階的に処理を行うことができる。無論、携帯端末用表示装置は、段階的ではなく、表示部の輝度を調整する等、連続的な処理を行ってもよい。【００２０】
また、前記第２検知部は、キラル高分子によって形成された圧電フィルムを有してもよい。【００２１】
キラル高分子は、主鎖が螺旋構造を有する。キラル高分子は、圧電フィルムが押圧されて、キラル高分子の結晶にずり応力が加わり、この応力によってずり変形が生じると、フィルム表面に電荷を発生する。キラル高分子の圧電特性は、分子の構造に起因するため、ＰＶＤＦ（ポリフッ化ビニリデン）等の強誘電体のポリマーに比べて、焦電性がない。したがって、キラル高分子によって形成された圧電フィルムは、指の温度が伝わってしまう操作受付部の構成として好適である。【００２２】
前記キラル高分子は、ポリ乳酸であってもよいし、前記ポリ乳酸は、少なくとも一軸方向に延伸されたポリ乳酸が好ましい。【００２３】
ポリ乳酸（ＰＬＡ）は、キラル高分子の中でも圧電出力定数が高い。特に一軸延伸されたＬ型ポリ乳酸（ＰＬＬＡ）は、ポリ乳酸の中でも圧電出力定数を高くすることができる。このような圧電出力定数が高い材料を用いることにより、操作受付部は、感度よく押圧操作を受け付けることができる。【００２４】
また、前記表示部と前記操作受付部とは、それぞれ別の領域に配置されてもよいし、それぞれ前記筐体の同一平面側に配置されてもよい。【００２５】
また、携帯端末用表示装置は、表示部と、筐体と、前記表示部に対するタッチ操作がなされた位置を検知する検知部と、前記表示部の表示内容を制御し、前記検知部で検知したタッチ操作がなされた位置に応じた処理を行う制御部と、を備える。【００２６】
そして、前記制御部は、前記筐体の外縁から所定の範囲内に操作受付用画像を表示させ、前記制御部は、前記検知部が検知したタッチ操作がなされた位置に表示されている操作受付用画像に応じて、操作入力位置を指定する指定用画像を表示させ、前記制御部は、前記検知部を介して決定操作を受け付け、該決定操作を受け付けたときに前記指定用画像が指定する操作入力位置に応じた処理を行う。【００２７】
すなわち、この構成によれば、携帯端末用表示装置は、指定用画像を表示させるために操作受付部と第２検知部とを備えなくても、操作受付用画像がタッチされることにより、指定用画像を表示する。例えば、右方向を示す操作受付用画像がタッチされると、指定用画像の表示位置は、右方向に移動する。したがって、ユーザは、指が届かない範囲にある操作入力位置でも操作入力を与えることができる。
【発明の効果】
【００２８】
この発明によれば、携帯端末用表示装置の大きさ及びユーザの手の大きさに関わらず、ユーザは片手で携帯端末用表示装置を把持したまま片手で操作することができる。
【図面の簡単な説明】
【００２９】
【図１】実施形態１に係る携帯端末１の外観斜視図である。
【図２】（Ａ）は、実施形態１に係る携帯端末１のＡ−Ａ断面図であり、（Ｂ）は、静電センサ１２の平面図である。
【図３】実施形態１に係る携帯端末１のＢ−Ｂ断面図である。
【図４】実施形態１にかかる携帯端末１の構成の一部を示すブロック図である。
【図５】（Ａ）及び（Ｂ）は、それぞれ操作パッド２００Ｌ及びポインタ９２０を説明するための図である。
【図６】（Ａ）及び（Ｂ）は、それぞれ操作パッド２００Ｒの使用例を説明するための図である。
【図７】携帯端末１の制御部１４の動作を示すフローチャートである。
【図８】携帯端末１の制御部１４の動作を示すフローチャートである。
【図９】実施形態２に係る携帯端末２の外観斜視図である。
【図１０】実施形態２に係る携帯端末２のＣ−Ｃ断面図である。
【図１１】実施形態２に係る携帯端末２の構成の一部を示すブロック図である。
【図１２】携帯端末２に表示される十字キー９３０Ｌ及び十字キー９３０Ｒを説明するための図である。
【図１３】携帯端末１の制御部１４の動作を示すフローチャートである。
【図１４】携帯端末２の変形例に係る携帯端末２Ａの説明をするための図である。
【発明を実施するための形態】
【００３０】
実施形態１に係る携帯端末１について、図１乃至図４を用いて説明する。図１は、携帯端末１の外観斜視図である。図２（Ａ）は、携帯端末１のＡ−Ａ断面図であり、図２（Ｂ）は、静電センサ１２の平面図である。図３は、携帯端末１のＢ−Ｂ断面図である。図４は、携帯端末１の構成の一部を示すブロック図である。
【００３１】
図１に示すように、携帯端末１は、略直方体形状の筐体３０を備える。筐体３０の表面側は３カ所で開口している。なお、以下では、図１に示すＸ方向を筐体３０の幅方向とし、Ｙ方向を高さ方向とし、Ｚ方向を厚み方向として説明する。また、本実施形態では、筐体３０の幅が、筐体３０の高さよりも短い場合を示している。しかしながら、筐体３０は、幅と高さが同じ長さであっても、幅が高さより長くてもよい。
【００３２】
表示入力部１０、操作パッド２００Ｌ及び操作パッド２００Ｒは、筐体３０の３カ所の開口部分を介してそれぞれ外部に露出している。すなわち、表示入力部１０、操作パッド２００Ｌ及び操作パッド２００Ｒは、それぞれ筐体３０の表面（＋Ｚ側の面）側に配置される。
【００３３】
表示入力部１０は、筐体３０の表面の上部（図１中＋Ｙ側）に配置されている。操作パッド２００Ｌ及び操作パッド２００Ｒは、それぞれ筐体３０の表面の下部（図１中−Ｙ側）に配置されている。操作パッド２００Ｌ及び操作パッド２００Ｒは、幅方向に順に並んで配置されている。
【００３４】
表示入力部１０は、操作パッド２００Ｌ及び操作パッド２００Ｒよりも、筐体３０の隅ＥＤＧから遠くに配置される表示領域を有する。例えば、表示入力部１０の中心位置ＣＴＲは、操作パッド２００Ｌ及び操作パッド２００Ｒのそれぞれの位置に比べて、隅ＥＤＧからの距離が長い。
【００３５】
筐体３０は、図２（Ａ）に示すように、内部に表示入力部１０及び演算回路モジュール４０を配置する。演算回路モジュール４０と表示入力部１０とは、厚み方向に順に配置される。
【００３６】
演算回路モジュール４０は、携帯端末１の各機能部を実現する。演算回路モジュール４０は、例えば、図４に示すように、位置検出部１３、位置検出部１３Ｌ、位置検出部１３Ｒ、圧電センサ結果検出部２１Ｌ、圧電センサ結果検出部２１Ｒ、制御部１４、及び表示制御部１５を実現する。制御部１４と表示制御部１５との組は、本発明の制御部に相当する。
【００３７】
表示入力部１０は、表示部１１、及び静電センサ１２を備える。
【００３８】
表示部１１は、図２（Ａ）に示すように、液晶パネル１１１、表面偏光板１１２、背面偏光板１１３、及びバックライト１１４を備える。
【００３９】
バックライト１１４、背面偏光板１１３、液晶パネル１１１、静電センサ１２、及び表面偏光板１１２は、厚み方向に順に重なって配置されている。
【００４０】
静電センサ１２は、図２（Ａ）及び図２（Ｂ）に示すように、ベースフィルム１２１、複数の静電容量検出電極１２２、及び複数の静電容量検出電極１２３を備える。
【００４１】
ベースフィルム１２１は、透光性及び所定の誘電率を有する材質からなる。複数の静電容量検出電極１２２、及び複数の静電容量検出電極１２３は、それぞれ長尺状であり、透光性を有する導電性材料からなる。複数の静電容量検出電極１２２は、ベースフィルム１２１の第１主面（＋Ｚ側の面）に、所定の間隔で配列形成されている。複数の静電容量検出電極１２３は、ベースフィルム１２１の第２主面（−Ｚ側の面）に、所定の間隔で配列形成されている。複数の静電容量検出電極１２２の配列方向と、複数の静電容量検出電極１２３の配列方向とは、ベースフィルム１２１の第１主面又は第２主面の法線方向から視ると、略直交するように設定される。
【００４２】
静電センサ１２に指が近づくと、指が近づけられた位置で静電容量は変化する。そこで、位置検出部１３は、静電容量が変化した静電容量検出電極１２２と静電容量検出電極１２３との組を特定することにより、タッチ位置を検出する。すなわち、位置検出部１３と静電センサ１２との組は、本発明の第１検知部に相当する。ただし、静電容量の変化は、指が表面偏光板１１２に実際に接触していなくても、検出可能である。また、タッチ位置の検出は、静電センサ１２の代わりに、指の表面偏光板１１２への接近を検知する光センサを用いても可能である。
【００４３】
バックライト１１４から出力された光は、背面偏光板１１３、液晶パネル１１１、静電センサ１２、及び表面偏光板１１２を順に通過する。液晶パネル１１１は、表示制御部１５の制御により、届いた光をそのまま、又は、振動方向を変えて（偏光させて）透過させる。このように、表示部１１の表示内容は、バックライト１１４及び液晶パネル１１１を制御することにより、変更される。
【００４４】
制御部１４は、表示入力部１０の静電センサ１２が受け付けたタッチ位置に応じて様々な処理を行う。表示に関する処理の情報は、制御部１４から表示制御部１５に出力される。表示制御部１５は、制御部１４が出力した表示に関する処理の情報に応じた表示内容となるように、表示入力部１０の表示部１１を制御する。すなわち、携帯端末１は、所謂、ＧＵＩ（；Ｇｒａｐｈｉｃａｌ  Ｕｓｅｒ  Ｉｎｔｅｒｆａｃｅ）を実現する。
【００４５】
操作パッド２００Ｌと操作パッド２００Ｒとは、配置が異なるだけであり、それぞれの構成は同じである。また、圧電センサ結果検出部２１Ｌと、圧電センサ結果検出部２１Ｒとは、接続される圧電センサ２０が異なるのみで、それぞれ実現する機能は同じである。位置検出部１３Ｌと、位置検出部１３Ｒとは、接続される静電センサ１２Ａが異なるのみで、それぞれ実現する機能は同じである。したがって、操作パッド２００Ｌと圧電センサ結果検出部２１Ｌと位置検出部１３Ｌとの組だけについて説明する。なお、操作パッド２００Ｌの静電センサ１２Ａと位置検出部１３Ｌとの組、又は操作パッド２００Ｒの静電センサ１２Ａと位置検出部１３Ｒとの組は、本発明の第２検知部に相当する。
【００４６】
操作パッド２００Ｌは、図３に示すように、静電センサ１２Ａ、圧電センサ２０、保護フィルム１２４、及び絶縁フィルム１２５を備える。
【００４７】
圧電センサ２０、絶縁フィルム１２５、静電センサ１２Ａ、及び保護フィルム１２４は、厚み方向に順に重なって配置されている。ただし、圧電センサ２０と静電センサ１２Ａとの配置は逆であっても構わない。
【００４８】
静電センサ１２Ａは、ベースフィルム１２１Ａ、複数の静電容量検出電極１２２Ａ、及び複数の静電容量検出電極１２３Ａを備える。静電センサ１２Ａは、平面形状が異なる点において、静電センサ１２と相違する。位置検出部１３Ｌは、静電センサ１２Ａにおけるタッチ位置を検出する点において、位置検出部１３と相違する。位置検出部１３Ｌは、検出したタッチ位置の情報を制御部１４に出力する。
【００４９】
保護フィルム１２４は、絶縁性を有し、静電センサ１２Ａを覆っている。絶縁フィルム１２５は、静電センサ１２Ａと圧電センサ２０とを絶縁するために配置される。
【００５０】
圧電センサ２０は、図３に示すように、圧電フィルム２０１、圧電検出電極２０２、及び圧電検出電極２０３を備える。
【００５１】
圧電フィルム２０１、圧電検出電極２０２、及び圧電検出電極２０３は、それぞれ平膜形状である。圧電フィルム２０１は、静電センサ１２Ａのベースフィルム１２１Ａと略同じ平面形状である。
【００５２】
圧電検出電極２０２は、圧電フィルム２０１の第１主面（＋Ｚ側の面）に、形成されている。圧電検出電極２０３は、圧電フィルム２０１の第２主面（−Ｚ側の面）に、形成されている。
【００５３】
圧電フィルム２０１は、例えば一軸延伸されたポリ乳酸からなり、透光性を有する。圧電フィルム２０１は、例えば−Ｚ方向に押圧されると、第１主面及び第２主面に電荷を発生させる。圧電検出電極２０２と圧電検出電極２０３との間の電位差は、圧電フィルム２０１の第１主面及び第２主面に電荷が発生することにより、生じる。また、この電位差のレベル（例えばｍＶ）は、圧電フィルム２０１の押圧量（又は押込量。例えば数十μｍ）に対応する。したがって、圧電検出電極２０２と圧電検出電極２０３との間の電位差のレベル（ｍＶ）を求めることにより、圧電センサ２０Ｌに対する押圧操作の有無及び押圧量（μｍ）を求めることが可能となる。
【００５４】
圧電センサ２０は、圧電検出電極２０２と圧電検出電極２０３との間の電位差をセンサ信号として出力する。圧電センサ２０から出力されたセンサ信号は、図４に示すように、圧電センサ結果検出部２１Ｌに入力される。圧電センサ結果検出部２１Ｌは、入力されたセンサ信号のレベルＬＳＳ（ｍＶ）を求める。圧電センサ結果検出部２１Ｌは、求めたレベルＬＳＳに応じて操作パッド２００Ｌに対する押圧操作の有無を判断する。例えば、圧電センサ結果検出部２１Ｌは、レベルＬＳＳが２０ｍＶ未満であれば、操作パッド２００Ｌに対して押圧操作がされていないと判断する。圧電センサ結果検出部２１Ｌは、レベルＬＳＳが２０ｍＶ以上であれば、操作パッド２００Ｌに対して押圧操作がされていると判断する。圧電センサ結果検出部２１Ｌが閾値により押圧操作の有無を判断するため、操作パッド２００Ｌに対するタッチ操作と押圧操作とを区別しやすくなる。圧電センサ結果検出部２１Ｌは、押圧操作の有無の情報を制御部１４に出力する。
【００５５】
以上のように、制御部１４は、操作パッド２００Ｌに対するタッチ位置の情報、及び押圧操作の有無の情報が入力される。同様に制御部１４は、操作パッド２００Ｒに対するタッチ位置の情報及び押圧操作の有無の情報も入力される。
【００５６】
制御部１４は、位置検出部１３、位置検出部１３Ｌ、位置検出部１３Ｒ、圧電センサ結果検出部２１Ｌ、及び圧電センサ結果検出部２１Ｒから入力された情報に基づいて様々な処理を行う。
【００５７】
例えば、ユーザが、図５（Ａ）に示すように、筐体３０の下部で携帯端末１を把持する。ユーザは、携帯端末１を把持しながら、例えば、親指ＬＴＨＢで表示入力部１０に表示されたアイコン９０３をタッチすることにより、操作を行う。すると、表示入力部１０に対応する位置検出部１３は、タッチ位置の情報を制御部１４に出力する。すると、制御部１４は、タッチ位置に応じた処理を行う。例えば、制御部１４は、タッチ位置に表示されているアイコン９０３に対応付けられた処理（例えば、アプリケーションの実行やサブメニューの表示等）を行う。
【００５８】
また、このような携帯端末１によって、以下のようなＧＵＩが実現可能となる。
【００５９】
図５（Ａ）及び図５（Ｂ）は、それぞれ操作パッド２００Ｌ及びポインタ９２０（本発明の指定用画像に相当する）を説明するための図である。図６（Ａ）及び図６（Ｂ）は、それぞれ操作パッド２００Ｒの使用例を説明するための図である。図７（Ａ）、図７（Ｂ）、及び図８は、それぞれ制御部１４の動作を示すフローチャートである。
【００６０】
制御部１４は、図７（Ａ）のフローチャートの処理と、図７（Ｂ）のフローチャートの処理と、図８のフローチャートの処理とを並列に実行する。
【００６１】
図７（Ａ）に示すフローチャートは、ポインタ９２０の表示処理に関する制御部１４の動作を示す。まず、制御部１４は、操作パッド２００Ｌに対してタッチ操作がされているか否かを判断する（Ｓ１１）。具体的には、制御部１４は、位置検出部１３Ｌからタッチ位置の情報を取得して、操作パッド２００Ｌに対してタッチ操作がされているか否かを判断する。制御部１４は、操作パッド２００Ｌに対してタッチ操作がされている場合（Ｓ１１：ＹＥＳ）、ステップＳ１２に進む。制御部１４は、操作パッド２００Ｌに対するタッチ操作がされていない場合（Ｓ１１：ＮＯ）、待機する。
【００６２】
制御部１４は、操作パッド２００Ｌに対してタッチ操作がされている場合（Ｓ１１：ＹＥＳ）、ポインタ９２０が既に表示されているか否かを判断する（Ｓ１２）。ただし、ポインタ９２０の表示有無は、表示制御部１５に問い合わせることにより求められる（Ｓ１２）。制御部１４は、ポインタ９２０が表示されている場合（Ｓ１２：ＹＥＳ）、ステップＳ１４に進む。制御部１４は、ポインタ９２０が表示されていない場合（Ｓ１２：ＮＯ）、ステップＳ１３に進む。
【００６３】
制御部１４は、ポインタ９２０が表示されていない場合（Ｓ１２：ＮＯ）、ポインタ９２０を初期表示させる処理の情報を表示制御部１５に出力する（Ｓ１３）。すると、表示制御部１５は、例えば図５（Ａ）に示すように、所定位置（例えば中心位置ＣＴＲ）にポインタ９２０を表示する。そして、制御部１４は、ステップＳ１４に進む。
【００６４】
制御部１４は、ポインタ９２０が表示されている場合（Ｓ１２：ＹＥＳ）又はステップＳ１３の処理の後、操作パッド２００Ｌで受け付けられた操作がパン操作であるか否かを判断する（Ｓ１４）。制御部１４は、位置検出部１３Ｌが変化するタッチ位置を例えば０．２秒間検出し続けていると、操作パッド２００Ｌに対してパン操作が行われていると判断して（Ｓ１４：ＹＥＳ）、ステップＳ１５に進む。すなわち、パン操作とは、操作パッド２００Ｌに指を触れ続けたまま移動させる操作である。制御部１４は、位置検出部１３Ｌがタッチ位置を例えば０．２秒間検出し続けていない場合、パン操作が行われていないと判断して（Ｓ１４：ＮＯ）、処理を終了する（エンド）。ただし、パン操作が行われていない場合とは、タップ操作が行われた場合、又はパン操作後に指が操作パッド２００Ｌから離れた場合である。
【００６５】
制御部１４は、操作パッド２００Ｌに受け付けられた操作がパン操作であると判断した場合（Ｓ１４：ＹＥＳ）、ポインタ９２０の表示位置を変更するために、移動ベクトルを求める（Ｓ１５）。
【００６６】
移動ベクトルは、タッチ位置の変化に対応する。例えば、制御部１４は、例えば０．１秒待機後に位置検出部１３Ｌからタッチ位置の情報を再度取得し、タッチ位置の変化を求める。そして、制御部１４は、タッチ位置の変化（例えば＋Ｙ方向に１ｃｍのベクトル）を移動ベクトルとして求める。
【００６７】
そして、制御部１４は、求めた移動ベクトルに基づいてポインタ９２０の表示位置を変更する処理の情報を出力する（Ｓ１６）。例えば、制御部１４は、移動ベクトル（＋Ｙ方向に１ｃｍ）でポインタ９２０の表示位置を移動させる処理の情報を表示制御部１５に出力する。すると、表示制御部１５は、表示位置を＋Ｙ方向に１ｃｍ変更してポインタ９２０を表示する。なお、制御部１４は、移動ベクトルの大きさを所定の割合（例えば１倍未満又は１倍以上）で変更してから、ポインタ９２０の表示位置を変更する処理の情報を出力してもよい。
【００６８】
制御部１４は、ステップＳ１６を終えると、ステップＳ１４に戻る。すなわち、制御部１４は、パン操作が行われている間、タッチ位置の変化に応じて、ポインタ９２０の表示位置を変更する。これにより、携帯端末１は、図５（Ｂ）に示すように、例えば操作パッド２００Ｌ上で親指ＬＴＨＢが軌跡９２１でスライド（連続するパン操作）すると、ポインタ９２０（ｔ）を軌跡９２２に沿ってポインタ９２０（ｔ＋１）の位置に移動させる表示を行う。
【００６９】
なお、制御部１４は、所定時間（例えば５秒間）以上、タッチ位置の情報が位置検出部１３Ｌから入力されないと、ポインタ９２０の表示を消す処理の情報を表示制御部１５に出力する。
【００７０】
次に、図７（Ｂ）に示すフローチャートは、操作パッド２００Ｌに対する押圧操作を決定操作として受け付ける制御部１４の動作を示す。
【００７１】
まず、制御部１４は、押圧操作があるか否かを判断する（Ｓ２１）。具体的には、制御部１４は、圧電センサ結果検出部２１Ｌから押圧操作の有無の情報を取得して、操作パッド２００Ｌに対して押圧操作がされているか否かを判断する。そして、制御部１４は、操作パッド２００Ｌに対して押圧操作がされていると判断した場合（Ｓ２１：ＹＥＳ）、ステップＳ２２に進む。制御部１４は、操作パッド２００Ｌに対して押圧操作がされていないと判断した場合（Ｓ２１：ＮＯ）、待機する。
【００７２】
制御部１４は、操作パッド２００Ｌに対して押圧操作がされていると判断した場合（Ｓ２１：ＹＥＳ）、ポインタ９２０の表示位置を取得する（Ｓ２２）。ポインタ９２０の表示位置は、表示制御部１５に問い合わせることにより求められる。
【００７３】
そして、制御部１４は、ポインタ９２０が指し示す位置（本発明の指定用画像が指定する操作入力位置に相当する。）に応じた処理を行う（Ｓ２３）。例えば、制御部１４は、図５（Ｂ）に示すように、ポインタ９２０（ｔ＋１）がアイコン９０２を指し示すように表示されている場合、アイコン９０２に対応付けられた処理（アプリケーションの実行等）を行う。
【００７４】
このように、制御部１４は、操作パッド２００Ｌに対する押圧操作があると、ポインタ９２０の表示位置に応じた処理を行う。ユーザは、操作パッド２００Ｌに対してパン操作で表示部１１の表示領域内でポインタ９２０を移動させ、操作パッド２００Ｌに対して押圧操作を決定操作として与え、ポインタ９２０の表示位置に応じた処理を携帯端末１に実行させることができる。したがって、ユーザは、操作パッド２００Ｌに対して操作を行うことにより、親指ＬＴＨＢが届かないアイコン９０１、アイコン９０２及びメニューアイコン９１１〜メニューアイコン９１４に対して親指ＬＴＨＢだけで操作入力を与えることができる。
【００７５】
また、携帯端末１は、ユーザがポインタ９２０を誤ってアイコン９０４を指し示す位置に移動させてしまっても、押圧操作が決定操作として与えられない限り、アイコン９０４に対応する処理を行わない。したがって、携帯端末１は、ユーザの誤操作による処理の実行を防ぐことができる。また、携帯端末１は、押圧操作がタップ操作等と明確に異なるため、タップ操作等を押圧操作とした場合に比べて、決定操作の誤認識を防ぎやすくなる。
【００７６】
また、制御部１４は、ステップＳ１６において、タッチ位置の変化に応じてポインタ９２０の表示位置を変更する処理の情報を出力するのではなく、入力されたタッチ位置そのものに応じた表示位置にポインタ９２０を表示する処理の情報を出力してもよい。この場合、制御部１４は、操作パッド２００Ｌ上のタッチ位置を、表示入力部１０上の表示位置に変換し、変換された表示位置にポインタ９２０を表示する処理の情報を出力する。タッチ位置から表示位置への変換は、例えば、制御部１４がタッチ位置と表示位置とを対応付けた位置変換テーブルを参照することにより行われる。ただし、位置変換テーブルは、携帯端末１に予め記憶される。
【００７７】
これにより、携帯端末１は、例えば操作パッド２００Ｌの右側の位置（＋Ｘ側の位置）がタッチされると、表示入力部１０の右側の位置（＋Ｘ側の位置）にポインタ９２０を表示する。
【００７８】
上述の位置変換テーブルは、操作パッド２００Ｌ上のタッチ位置と、表示入力部１０の上側の表示位置（例えば中心位置ＣＴＲより上側の表示位置）のみとを対応付けてもよい。この場合、携帯端末１は、表示入力部１０の全表示領域内にポインタ９２０を表示するのではなく、表示入力部１０の上側の表示領域内だけに限ってポインタ９２０を表示する。すなわち、ポインタ９２０は、指が届きにくい範囲にのみに表示される。
【００７９】
上述の例は、指定用画像としてポインタ９２０を表示しているが、指定用画像はポインタ９２０に限らない。指定用画像とは操作入力がされることを示す画像であればよい。
【００８０】
また、制御部１４は、ステップＳ２３において、圧電センサ結果検出部２１ＬからレベルＬＳＳの情報を取得し、ポインタ９２０の表示位置と取得したレベルＬＳＳとに応じた処理を行ってもよい。
【００８１】
例えば、制御部１４は、圧電センサ結果検出部２１Ｌから取得したレベルＬＳＳが２０ｍＶ〜４０ｍＶの場合、ポインタ９２０が指し示すアイコンに対応付けられたアプリケーションを実行し、該レベルＬＳＳが４０ｍＶ〜６０ｍＶの場合、ポインタ９２０が指し示す位置を中心として表示画面の拡大又は縮小を行う処理の情報を表示制御部１５に出力してもよい。また、制御部１４は、６０ｍＶ以上のレベルＬＳＳを取得した場合、例えば、ポインタ９２０が指し示す位置を中心とした表示画面の拡大又は縮小の描画速度を変化させる処理の情報を出力してもよい。レベルＬＳＳと実行すべき処理との対応付けは、予め携帯端末１に設定されてもよいし、ユーザがＧＵＩを通じて設定してもよい。
【００８２】
さらには、制御部１４は、レベルＬＳＳに応じて、段階的に処理を変更するのではなく、レベルＬＳＳに応じた連続量を用いた処理を行ってもよい。例えば、制御部１４は、バックライト１１４の輝度をレベルＬＳＳに対応させた値とする処理の情報を出力してもよいし、不図示のスピーカの音量値をレベルＬＳＳに対応させた値としてもよい。
【００８３】
ただし、圧電センサ２０を備え、決定操作として押圧操作を検知することは本発明において必須の構成ではない。例えば、制御部１４は、操作パッド２００Ｌに対してタップ操作、ダブルタップ操作、又は長押し操作（所定時間タッチし続ける操作）が行われたことを検知して、タップ操作、ダブルタップ操作、又は長押し操作が行われたときのポインタ９２０の表示位置に応じた処理を行ってもよい。
【００８４】
次に、操作パッド２００Ｒを利用したＧＵＩについて説明する。携帯端末１は、操作パッド２００Ｒに受け付けられた操作に応じて、メニューアイコン９１１〜メニューアイコン９１４に対する処理を行う。
【００８５】
まず、制御部１４は、操作パッド２００Ｒに対してタッチ操作がされているか否かを判断する（Ｓ３１）。具体的には、制御部１４は、操作パッド２００Ｒに対応する位置検出部１３Ｒからタッチ位置の情報を取得して、操作パッド２００Ｒに対してタッチ操作がされているか否かを判断する。制御部１４は、操作パッド２００Ｒに対してタッチ操作がされている場合（Ｓ３１：ＹＥＳ）、ステップＳ３２に進む。制御部１４は、操作パッド２００Ｒに対するタッチ操作がされていない場合（Ｓ３１：ＮＯ）、待機する。
【００８６】
制御部１４は、操作パッド２００Ｒに対してタッチ操作がされている場合（Ｓ３１：ＹＥＳ）、タッチ位置に応じたメニューアイコンを強調表示する処理の情報を表示制御部１５に出力する（Ｓ３２）。強調表示すべきメニューアイコンは、操作パッド２００Ｒ上のタッチ位置とメニューアイコン９１１〜メニューアイコン９１４とが対応付けられたメニューアイコン変換テーブルを制御部１４が参照することにより求められる。ただし、メニューアイコン変換テーブルは、予め携帯端末１に記憶される。
【００８７】
例えば、携帯端末１は、図６（Ａ）に示すように、操作パッド２００Ｒ上の右上の位置９２３がタッチされると、位置９２３に対応するメニューアイコン９１３の形状を大きく表示する。携帯端末１は、図６（Ｂ）に示すように、続いて操作パッド２００Ｒ上の左下の位置９２４がタッチされると、メニューアイコン９１３の強調表示をせず、位置９２４に対応するメニューアイコン９１２を強調表示する。この強調表示も、本発明の指定用画像に相当する。強調表示されたメニューアイコンの表示位置も、本発明の指定用画像が指定する操作入力位置に相当する。
【００８８】
次に、制御部１４は、押圧操作があるか否かを判断する（Ｓ３３）。具体的には、制御部１４は、圧電センサ結果検出部２１Ｒから押圧操作の有無の情報を取得して、操作パッド２００Ｒに対して押圧操作がされているか否かを判断する。そして、制御部１４は、操作パッド２００Ｒに対して押圧操作がされていると判断した場合（Ｓ３３：ＹＥＳ）、ステップＳ３４に進む。制御部１４は、操作パッド２００Ｒに対して押圧操作がされていないと判断した場合（Ｓ３３：ＮＯ）、処理を終了する（エンド）。
【００８９】
そして、制御部１４は、操作パッド２００Ｒに対して押圧操作がされていると判断した場合（Ｓ３３：ＹＥＳ）、強調表示されたメニューアイコンに応じた処理を行う（Ｓ３４）。ただし、制御部１４は、表示制御部１５に問い合わせすることにより、強調表示されているメニューアイコンを求める。
【００９０】
例えば、制御部１４は、図６（Ｂ）に示すように、メニューアイコン９１２が強調表示されている場合、メニューアイコン９１２に対応付けられたアプリケーションを実行する（Ｓ３４）。
【００９１】
なお、制御部１４は、ステップＳ３４において、圧電センサ結果検出部２１ＲからレベルＬＳＳの情報を取得し、取得したレベルＬＳＳに応じた処理を行ってもよい。例えば、制御部１４は、メニューアイコン９１２が強調表示され、かつ取得したレベルＬＳＳが２０ｍＶ〜４０ｍＶの場合、メニューアイコン９１２に対応付けられたアプリケーションの設定画面を表示する処理の情報を出力し、取得したレベルＬＳＳが４０ｍＶ〜６０ｍＶの場合、メニューアイコン９１２に対応付けられたサブメニューを表示する処理の情報を出力する。制御部１４は、メニューアイコン９１２が強調表示され、かつ取得したレベルＬＳＳが６０ｍＶ以上の場合、メニューアイコン９１１〜メニューアイコン９１４を非表示にして、メニューアイコン９１１〜メニューアイコン９１４が表示されていた領域に他のアイコンを表示させる処理の情報を出力してもよい。
【００９２】
以上のように、ユーザは、操作パッド２００Ｒをタッチしたまま押圧することにより、メニューアイコン９１１〜メニューアイコン９１４に対して１回の動作で操作を与えることができる。
【００９３】
ここで、圧電フィルム２０１について説明する。圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。
【００９４】
一軸延伸されたＰＬＬＡは、圧電フィルムの平板面が押圧されることにより、電荷を発生する。この際、発生する電荷量は、押圧量（押込量）により平板面が当該平板面に直交する方向へ変位する変位量に依存する。ＰＬＬＡは、圧電定数が高分子の中で非常に高い部類に属するため、圧電センサ２０に適している。
【００９５】
ＰＬＬＡは、延伸等による分子の配向処理で圧電性を生じるため、ＰＶＤＦ等の他のポリマーや圧電セラミックスのように、ポーリング処理を行う必要がない。すなわち、強誘電体に属さないＰＬＬＡの圧電性は、分子の特徴的な構造である螺旋構造に由来するものである。このため、ＰＬＬＡには、他の強誘電性の圧電体で生じる焦電性が生じない。したがって、ＰＬＬＡは、圧電センサ２０（表示入力部１０）のように、タッチ操作により指の温度が伝わってしまう構成に適している。
【００９６】
ただし、本実施形態において圧電フィルム２０１としてＰＬＬＡを用いることは必須ではない。圧電センサ２０は、例えばＰＶＤＦからなる圧電フィルム２０１を用いてもよい。
【００９７】
次に、実施形態２に係る携帯端末２について説明する。図９は、携帯端末２の外観斜視図である。図１０は、Ｃ−Ｃ断面図である。図１１は、携帯端末２の構成の一部を示すブロック図である。
【００９８】
携帯端末２は、携帯端末１が表示入力部１０、操作パッド２００Ｌ及び操作パッド２００Ｒでユーザからの操作を受け付けるのに対し、表示入力部１０Ａだけでユーザからの操作を受け付ける点において、携帯端末１と相違する。携帯端末１と重複する構成の説明は省略する。
【００９９】
携帯端末２は、表示入力部１０Ａ、筐体３０Ａ、及び演算回路モジュール４０Ａを備える。
【０１００】
携帯端末２は、図９に示すように、表面に開口部を１つ備える。開口部の面積は、筐体３０Ａの表面より若干小さい。表示入力部１０Ａの面積は、筐体３０Ａの表面の開口部の面積と略同じである。これにより、携帯端末２は、筐体３０Ａの表面のほとんどが操作面となる。
【０１０１】
表示入力部１０Ａは、図１０に示すように、表示部１１Ａ、静電センサ１２Ｂ、圧電センサ２０Ａ、及び絶縁フィルム１２５Ａを備える。表示部１１Ａは、表示部１１の面積より面積が大きい点において、表示部１１と相違する。表示部１１Ａの面積は、筐体３０Ａの表面の開口部の面積と略同じである。すなわち、液晶パネル１１１Ａ、表面偏光板１１２Ａ、背面偏光板１１３Ａ、及びバックライト１１４Ａの面積は、筐体３０Ａの表面の開口部の面積とそれぞれ略同じである。
【０１０２】
圧電センサ２０Ａは、圧電センサ２０より面積が大きい点、及び透光性を有する点において、圧電センサ２０と相違する。圧電センサ２０Ａは、筐体３０Ａの表面の開口部と面積が略同じである。すなわち、圧電フィルム２０１Ａ、圧電検出電極２０２Ａ、及び圧電検出電極２０３Ａの面積は、筐体３０Ａの表面の開口部の面積とそれぞれ略同じである。
【０１０３】
圧電フィルム２０１Ａは、ＰＬＬＡからなり、透光性を有する。圧電検出電極２０２Ａ及び圧電検出電極２０３Ａは、それぞれＩＴＯ、ＺｎＯ、ポリチオフェンを主成分とする有機電極、ポリアニリンを主成分とする有機電極、銀ナノワイヤ電極、カーボンナノチューブ電極のいずれかで形成されているため、透光性を有する。
【０１０４】
バックライト１１４Ａ、背面偏光板１１３Ａ、液晶パネル１１１Ａ、圧電センサ２０Ａ、絶縁フィルム１２５Ａ、静電センサ１２Ｂ及び表面偏光板１１２Ａは、それぞれ厚み方向に順に重なって配置されている。ただし、圧電センサ２０Ａと静電センサ１２Ｂとは、逆の配置であってもかまわない。
【０１０５】
圧電センサ２０Ａは、透光性を有するため、バックライト１１４Ａの配置より＋Ｚ側に配置されても、光の透過を妨げない。特に、ＰＬＬＡは、キラル高分子からなるため、ＰＶＤＦ等より高い透光性を有する。したがって、ＰＬＬＡからなる圧電フィルム２０１Ａは、バックライト１１４Ａの配置より＋Ｚ側に配置される構成に適している。
【０１０６】
表示入力部１０Ａに対するタッチ位置は、静電センサ１２Ｂと位置検出部１３Ａとの組により、検出される。表示入力部１０Ａに対する押圧操作及び押圧量は、圧電センサ２０Ａと圧電センサ結果検出部２１Ａとの組により、検出される。表示入力部１０Ａの表示領域内におけるタッチ位置、押圧操作の有無、及び押圧量（レベルＬＳＳ）の情報は、図１１に示すように、制御部１４に入力される。制御部１４は、入力された情報に基づいて様々な処理を行う。
【０１０７】
このような携帯端末２は、以下のようなＧＵＩを実現できる。
【０１０８】
図１２は、携帯端末２に表示される十字キー９３０Ｌ及び十字キー９３０Ｒを説明するための図である。図１３は、携帯端末２の制御部１４の動作を示すフローチャートである。
【０１０９】
携帯端末２は、表示入力部１０Ａの表示領域のうち、ユーザの指が届く範囲に、十字キー９３０Ｌ及び十字キー９３０Ｒを表示する。例えば、携帯端末２は、図１２に示すように、十字キー９３０Ｌ及び十字キー９３０Ｒを表示入力部１０Ａの下部（−Ｙ側）の領域に表示する。十字キー９３０Ｌ及び十字キー９３０Ｒは、それぞれキー９３１Ｌ、キー９３１Ｒ、キー９３１Ｃ、キー９３１Ｕ、及びキー９３１Ｂ（以下、これらをまとめて称す場合はキー９３１と称す。）からなる。
【０１１０】
図１３に示すフローチャートは、制御部１４が位置検出部１３Ａからタッチ位置の情報を取得している時点から始まっているものとする（スタート）。また、携帯端末２は、ポインタ９２０を常時表示しているものとする。
【０１１１】
制御部１４は、タッチ位置がいずれの表示領域に属するかを判断する（Ｓ４１）。なお、タッチ位置がいずれの表示領域に属するかは、制御部１４が表示制御部１５に問い合わせることにより、求められる。
【０１１２】
制御部１４は、タッチ位置が十字キー９３０Ｌの表示領域に属する場合（Ｓ４１：十字キー９３０Ｌの表示領域）、ステップＳ５１に進む。制御部１４は、タッチ位置が十字キー９３０Ｒの表示領域に属する場合（Ｓ４１：十字キー９３０Ｒの表示領域）、ステップＳ６１に進む。制御部１４は、タッチ位置が十字キー９３０Ｌ及び十字キー９３０Ｒのそれぞれの表示領域以外に属する場合（Ｓ４１：十字キー以外の表示領域）、ステップＳ４２に進む。
【０１１３】
制御部１４は、タッチ位置が十字キー９３０Ｌ及び十字キー９３０Ｒのそれぞれの表示領域以外に属する場合（Ｓ４１：十字キー以外の表示領域）、例えばタッチ位置に表示されているアイコンに対応付けられた処理を行う（Ｓ４２）。
【０１１４】
制御部１４は、タッチ位置が十字キー９３０Ｌの表示領域に属する場合（Ｓ４１：十字キー９３０Ｌの表示領域）、十字キー９３０Ｌのキー９３１Ｃがタッチされたか否かを判断する（Ｓ５１）。制御部１４は、十字キー９３０Ｌのキー９３１Ｃがタッチされたと判断した場合（Ｓ５１：ＹＥＳ）、ステップＳ５３に進む。制御部１４は、十字キー９３０Ｌのキー９３１Ｃ以外のキー９３１がタッチされたと判断した場合（Ｓ５１：ＮＯ）、ステップＳ５２に進む。
【０１１５】
制御部１４は、十字キー９３０Ｌのキー９３１Ｃ以外のキー９３１がタッチされたと判断した場合（Ｓ５１：ＮＯ）、タッチされたキー９３１に応じてポインタ９２０の表示位置を変更する処理の情報を出力する（Ｓ５２）。
【０１１６】
例えば、制御部１４は、タッチされたキーが十字キー９３０Ｌのキー９３１Ｌである場合、ポインタ９２０の表示位置を１ｍｍ左の位置に変更して表示する処理の情報を出力する。ここで、制御部１４は、位置検出部１３Ａから十字キー９３０Ｌのキー９３１Ｌの表示位置と重複するタッチ位置の情報が入力され続けると（例えば０．３秒間）、ポインタ９２０の表示位置をさらに１ｍｍ左の位置に変更して表示する処理の情報を出力してもよい。これにより、ユーザは、十字キー９３０Ｌのキー９３１Ｌをタッチし続けることにより、ポインタ９２０の表示位置を左に移動させ続けることができる。
【０１１７】
制御部１４は、ステップＳ５１及びステップＳ５２において、十字キー９３０Ｌのキー９３１Ｕがタッチされると、ポインタ９２０の表示位置を上に変更し、十字キー９３０Ｌのキー９３１Ｒがタッチされると、ポインタ９２０の表示位置を右に変更し、十字キー９３０Ｌのキー９３１Ｂがタッチされると、ポインタ９２０の表示位置を下に変更して表示する処理の情報を出力する。
【０１１８】
制御部１４は、十字キー９３０Ｌのキー９３１Ｃがタッチされたと判断した場合（Ｓ５１：ＹＥＳ）、表示入力部１０Ａに対して押圧操作があるか否かを判断する（Ｓ５３）。具体的には、制御部１４は、圧電センサ結果検出部２１Ａから押圧操作の有無の情報を取得して、押圧操作があるか否かを判断する。制御部１４は、表示入力部１０Ａに対して押圧操作がされていると判断した場合（Ｓ５３：ＹＥＳ）、ステップＳ５４に進む。制御部１４は、表示入力部１０Ａに対して押圧操作がされていないと判断した場合（Ｓ５３：ＮＯ）、処理を終了する（エンド）。
【０１１９】
制御部１４は、表示入力部１０Ａに対して押圧操作がされていると判断した場合（Ｓ５３：ＹＥＳ）、ポインタ９２０の表示位置に応じた処理を行う（Ｓ５４）。
【０１２０】
例えば、制御部１４は、ポインタ９２０がアイコン９０２を指し示すような位置に表示されている場合、アイコン９０２に対応付けられたアプリケーションを実行する。
【０１２１】
制御部１４は、タッチ位置が十字キー９３０Ｒの表示領域に属する場合（Ｓ４１：十字キー９３０Ｒの表示領域）、十字キー９３０Ｒのキー９３１Ｃがタッチされたか否かを判断する（Ｓ６１）。制御部１４は、十字キー９３０Ｒのキー９３１Ｃがタッチされたと判断した場合（Ｓ６１：ＹＥＳ）、ステップＳ６３に進む。制御部１４は、十字キー９３０Ｒのキー９３１Ｃ以外のキー９３１がタッチされたと判断した場合（Ｓ６１：ＮＯ）、ステップＳ６２に進む。
【０１２２】
制御部１４は、十字キー９３０Ｒのキー９３１Ｃ以外のキー９３１がタッチされたと判断した場合（Ｓ６１：ＮＯ）、タッチされたキー９３１に応じてメニューアイコン９１１〜メニューアイコン９１４のいずれかのメニューアイコンを強調表示する処理の情報を出力する（Ｓ６２）。
【０１２３】
例えば、制御部１４は、十字キー９３０Ｒのキー９３１Ｌ、キー９３１Ｒ、キー９３１Ｕ又はキー９３１Ｂのいずれかがタッチされると、メニューアイコン９１１を強調表示する処理の情報を出力する。制御部１４は、既にいずれかのメニューアイコンが強調表示されており、かつ十字キー９３０Ｒのキー９３１Ｌがタッチされた場合、該メニューアイコンから左の位置に表示されているメニューアイコンを強調表示する処理の情報を出力する。同様に、制御部１４は、既にいずれかのメニューアイコンが強調表示されており、かつ十字キー９３０Ｒのキー９３１Ｒ、キー９３１Ｕ、又はキー９３１Ｂがタッチされた場合、該メニューアイコンから右、上、又は下の位置に表示されているメニューアイコンを強調表示する処理の情報を出力する。
【０１２４】
制御部１４は、十字キー９３０Ｒのキー９３１Ｃがタッチされたと判断した場合（Ｓ６１：ＹＥＳ）、表示入力部１０Ａに対する押圧操作があるか否かを判断する（Ｓ６３）。具体的には、制御部１４は、圧電センサ結果検出部２１Ａから押圧操作の有無の情報を取得して、押圧操作があるか否かを判断する。制御部１４は、表示入力部１０Ａに対する押圧操作がされていると判断した場合（Ｓ６３：ＹＥＳ）、ステップＳ６４に進む。制御部１４は、表示入力部１０Ａに対する押圧操作がされていないと判断した場合（Ｓ６３：ＮＯ）、処理を終了する（エンド）。
【０１２５】
制御部１４は、表示入力部１０Ａに対する押圧操作があると判断した場合（Ｓ６３：ＹＥＳ）、強調表示されているメニューアイコンに応じた処理を行う（Ｓ６４）。
【０１２６】
以上のように、ユーザは、携帯端末２が操作パッド２００Ｌ及び操作パッド２００Ｒを備えていなくても、携帯端末１と同様に、ポインタ９２０を移動させて、指が届かない範囲に表示されたアイコン９０１、アイコン９０２、及びメニューアイコン９１１〜メニューアイコン９１４に対して操作入力を行うことができる。また、ユーザは、携帯端末１と同様に、１回の動作でメニューアイコン９１１〜メニューアイコン９１４に対して操作入力を行うことができる。
【０１２７】
なお、制御部１４は、ステップＳ５４及びステップＳ６４において、圧電センサ結果検出部２１Ａから取得したレベルＬＳＳに応じた処理を行ってもよい。
【０１２８】
次に、図１４は、携帯端末２の変形例に係る携帯端末２Ａを説明するための図である。
【０１２９】
携帯端末２Ａは、十字キー９３０Ｌ、及び十字キー９３０Ｒを表示しない点、及びポインタ９２０が常時表示されない点において、携帯端末２と相違する。
【０１３０】
携帯端末２Ａは、図１４に示すように、位置９２５が押圧され、かつ所定の大きさ以上のレベルＬＳＳを検出すると、ポインタ９２０を表示する。ただし、位置９２５は、図１４に示す位置に限らず、表示入力部１０Ａ内のいずれの位置でもよい。
【０１３１】
携帯端末２Ａは、ポインタ９２０が表示され、かつ押圧操作の継続及びタッチ位置の変化を検出すると、タッチ位置の変化に応じてポインタ９２０の表示位置を変更する。
【０１３２】
携帯端末２Ａは、さらに大きなレベルＬＳＳを検出すると、ポインタ９２０が指し示すアイコン９０１、アイコン９０２及びメニューアイコン９１１〜メニューアイコン９１４のそれぞれに対応付けられた処理を行う。
【符号の説明】
【０１３３】
１，２，２Ａ…携帯端末
１０，１０Ａ…表示入力部
１１，１１Ａ…表示部
１２，１２Ａ，１２Ｂ…静電センサ
１３，１３Ａ，１３Ｌ，１３Ｒ…位置検出部
１４…制御部
１５…表示制御部
２０，２０Ａ，２０Ｌ…圧電センサ
２１Ａ，２１Ｌ，２１Ｒ…圧電センサ結果検出部
３０，３０Ａ…筐体
４０，４０Ａ…演算回路モジュール
１１１，１１Ａ…液晶パネル
１１２，１１２Ａ…表面偏光板
１１３，１１３Ａ…背面偏光板
１１４，１１４Ａ…バックライト
１２１，１２１Ａ…ベースフィルム
１２２，１２２Ａ…静電容量検出電極
１２３，１２３Ａ…静電容量検出電極
１２４…保護フィルム
１２５，１２５Ａ…絶縁フィルム
２００Ｌ，２００Ｒ…操作パッド
２０１，２０１Ａ…圧電フィルム
２０２，２０３，２０２Ａ，２０３Ａ…圧電検出電極
９０１〜９０４…アイコン
９１１〜９１４…メニューアイコン
９２０…ポインタ
９３０Ｌ，９３０Ｒ…十字キー
９３１，９３１Ｂ，９３１Ｃ，９３１Ｌ，９３１Ｒ，９３１Ｕ…キー
【図１】
0006015866.tif 000002
【図２】
0006015866.tif 000003
【図３】
0006015866.tif 000004
【図４】
0006015866.tif 000005
【図５】
0006015866.tif 000006
【図６】
0006015866.tif 000007
【図７】
0006015866.tif 000008
【図８】
0006015866.tif 000009
【図９】
0006015866.tif 000010
【図１０】
0006015866.tif 000011
【図１１】
0006015866.tif 000012
【図１２】
0006015866.tif 000013
【図１３】
0006015866.tif 000014
【図１４】
0006015866.tif 000015